(57)【要約】【課題】基台に搭載した濾過塔、樹脂筒などの容器を、さらに安定的に固定することができる容器固定装置を提供すること。【解決手段】本発明の容器固定装置１は、容器２の底部９０を支持する基台３と、容器２の側面２Ａ側に位置するように基台３に立設する複数本の支柱４と、平面視で連続的又は非連続的な環状に延び、複数本の支柱４それぞれに固定されると共に、容器２の側面２Ａを支持する支持部材５と、を備えることを特徴とする。【選択図】図１
2011168326.tif 000002
【特許請求の範囲】
【請求項１】
容器の底部を支持する基台と、
前記容器の側面側に位置するように前記基台に立設する複数本の支柱と、
平面視で連続的又は非連続的な環状に延び、複数本の前記支柱それぞれに固定されると共に、前記容器の側面を支持する支持部材と、
を備える容器固定装置。
【請求項２】
前記支持部材における前記容器との対向面は、クッション性を有するクッション部材からなり、
前記支持部材における前記支柱との対向面は、剛性を有する剛性部材からなる
請求項１に記載の容器固定装置。
【請求項３】
前記支柱の上端部は、前記基台に支持された前記容器の上面近傍に位置しており、
隣接する前記支柱それぞれに固定される前記支持部材同士は、非連続となっており、
前記容器固定装置は、前記基台に支持された前記容器の上面近傍の位置において複数の前記支柱それぞれに固定され且つ平面視で連続的な環状に延びる補強部材を更に備える
請求項１又は２に記載の容器固定装置
【請求項４】
前記支柱は、その下端部に基台固定部を有し、
前記基台は、支柱固定部を有し、
前記基台固定部と前記支柱固定部とは、互いに、水平方向に沿ってスライド可能に且つ固定可能に構成される
請求項３に記載の容器固定装置。
【請求項５】
前記支柱の上端部は、前記基台に支持された前記容器の上面よりも下方に位置し、
前記支持部材は、連続的に環状に延びている
請求項１又は２に記載の容器固定装置。
【請求項６】
前記基台は、前記支柱の下端部を挿入可能な被挿入部を有し、
前記支柱は、該支柱の下端部を前記被挿入部に挿入させた状態で、前記基台に立設する
請求項５に記載の容器固定装置。
【発明の詳細な説明】
【技術分野】
【０００１】
本発明は、濾過装置の濾過塔や軟水器の樹脂筒などの容器を固定する容器固定装置に関する。
【背景技術】
【０００２】
従来、容器の底部を支持する基台と、容器の側面側に位置するように基台に立設する複数本の支柱と、容器の側面を支持する支持ベルトと、を備える容器固定装置が知られている（例えば、下記特許文献１参照）。
【先行技術文献】
【特許文献】
【０００３】
【特許文献１】特開平６−１７９４８７号公報
【発明の概要】
【発明が解決しようとする課題】
【０００４】
特許文献１に記載の容器固定装置は、支柱間を支持ベルトでつないで、容器を支持している。しかしながら、この支持ベルトは、フレキシブルな容器内に被輸送物が充填されているときでも空のときでも、容器がその形状を崩さないようにする手摺的な役目をするもので、基台に搭載した容器を締め付けて安定的に保持するためのものではない。
【０００５】
また、特許文献１に記載の容器固定装置では、容器と支柱とが近接又は接触する構造を採っているため、合成樹脂製の濾過塔などのように耐衝撃性がない容器を特許文献１に記載の方式で固定すると、輸送時や地震時に容器及び支柱に単位面積あたりに大きな力が生じて、容器が割れやすい。
【０００６】
本発明は、基台に搭載した容器を一層安定的に固定することができる容器固定装置を提供することを目的とする。
【課題を解決するための手段】
【０００７】
本発明は、容器の底部を支持する基台と、前記容器の側面側に位置するように前記基台に立設する複数本の支柱と、平面視で連続的又は非連続的な環状に延び、複数本の前記支柱それぞれに固定されると共に、前記容器の側面を支持する支持部材と、を備える容器固定装置に関する。
【０００８】
また、前記支持部材における前記容器との対向面は、クッション性を有するクッション部材からなり、前記支持部材における前記支柱との対向面は、剛性を有する剛性部材からなることが好ましい。
【０００９】
また、前記支柱の上端部は、前記基台に支持された前記容器の上面近傍に位置しており、隣接する前記支柱それぞれに固定される前記支持部材同士は、非連続となっており、前記容器固定装置は、前記基台に支持された前記容器の上面近傍の位置において複数の前記支柱それぞれに固定され且つ平面視で連続的な環状に延びる補強部材を更に備えることが好ましい。
【００１０】
また、前記支柱は、その下端部に基台固定部を有し、前記基台は、支柱固定部を有し、前記基台固定部と前記支柱固定部とは、互いに、水平方向に沿ってスライド可能に且つ固定可能に構成されることが好ましい。
【００１１】
また、前記支柱の上端部は、前記基台に支持された前記容器の上面よりも下方に位置し、前記支持部材は、連続的に環状に延びていることが好ましい。
【００１２】
また、前記基台は、前記支柱の下端部を挿入可能な被挿入部を有し、前記支柱は、該支柱の下端部を前記被挿入部に挿入させた状態で、前記基台に立設することが好ましい。
【発明の効果】
【００１３】
本発明の容器固定装置によれば、基台に搭載した容器を一層安定的に固定することができる容器固定装置を提供することができる。
【図面の簡単な説明】
【００１４】
【図１】第１実施形態の容器固定装置１を用いて濾過塔２を固定した状態を示す斜視図である。
【図２】第１実施形態の容器固定装置１を用いて濾過塔２を固定した状態を示す正面図である。
【図３】第１実施形態の容器固定装置１を示す斜視図である。
【図４】第１実施形態の容器固定装置１における支柱４の下端部４Ｂの構造を説明する拡大斜視図である。
【図５】第１実施形態の容器固定装置１における支持部材５の構成を説明する拡大横断面図である。
【図６】第２実施形態の容器固定装置１Ａを用いて濾過塔２を固定した状態を示す斜視図である。
【図７】第２実施形態の容器固定装置１Ａを用いて濾過塔２を固定した状態を示す正面図である。
【図８】第２実施形態の容器固定装置１Ａを示す斜視図である。
【図９】第２実施形態の容器固定装置１Ａにおける支柱４の下端部４Ｂの構造を説明する拡大斜視図である。
【発明を実施するための形態】
【００１５】
以下、図面を参照して、本発明の第１実施形態に係る容器固定装置１について説明する。図１は、第１実施形態の容器固定装置１を用いて濾過塔２を固定した状態を示す斜視図である。図２は、第１実施形態の容器固定装置１を用いて濾過塔２を固定した状態を示す正面図である。図３は、第１実施形態の容器固定装置１を示す斜視図である。図４は、第１実施形態の容器固定装置１における支柱４の下端部４Ｂの構造を説明する拡大斜視図である。図５は、第１実施形態の容器固定装置１における支持部材５の構成を説明する拡大横断面図である。
【００１６】
図１から図３に示すように、容器固定装置１は、基台３と、複数本の支柱４と、支持部材５と、補強部材６と、を備える。基台３、支柱４、支持部材５及び補強部材６を主体として、固定対象の容器としての濾過装置の濾過塔２を固定する架台７が構成される。
【００１７】
濾過塔２は、その内部に、被処理水を濾過処理するための濾材（図示せず）を内蔵している。濾過塔２は、その軽量化のため、合成樹脂製となっている。濾過塔２には、その内部からの水圧に耐えるように、ガラス繊維補強（図示せず）が施されている。
【００１８】
基台３は、チャンネル鋼材３０から構成される。詳しくは、基台３は、チャンネル鋼材３０を円環状に巻回加工することにより、両端フランジ部３１（上端フランジ部３１Ａ、下端フランジ部３１Ｂ）が上下に位置し、且つ、ウェブ部３２が内周側に位置するように形成される。
【００１９】
濾過塔２の底部は、円筒状の固定脚９０から形成される。固定脚９０の上端には、濾過塔２の塔本体２１の底部を受け止めて支持する受部９１が形成される。固定脚９０の下端には、基台３を構成するチャンネル鋼材３０の上端フランジ部３１Ａに固定するための複数（３つ）の固定部９２が形成されている。また、固定脚９０の下部側で基台３の円周方向に隣接する固定部９２、９２の間には、配管取り出し穴９３が形成されている。配管取り出し穴９３は、濾過塔２の塔本体２１の底部から導出される配管（図示せず）を固定脚９０の外部へ取り出すために設けられる。
固定脚９０の固定部９２をボルト９４によりチャンネル鋼材３０の上端フランジ部３１Ａに固定することによって、濾過塔２の固定脚９０は、基台３に支持される。
【００２０】
支柱４は、円環状の基台３の円周方向に等間隔を隔てて４箇所に配置される。つまり、４本の支柱４は、円環状の基台３における中心角で９０°毎の周方向間隔を隔てた箇所それぞれにおいて、濾過塔２の側面側に位置するように、上下に垂直姿勢に立設されている。各支柱４は、鋼製の中空体（円筒体）から形成される。
【００２１】
各支柱４の上端部４Ａは、濾過塔２の上面となる被処理水投入口部２Ｂの上端面２Ｃの近傍に位置する。各支柱４の上端部４Ａの頂面の中心部には、アイボルト４０が固定されている。アイボルト４０は、容器固定装置１の運搬時や所定位置への設置時などにおいて、容器固定装置１をクレーン等（図示せず）により吊り上げるための吊下具である。
【００２２】
各支柱４の下端部４Ｂには、鋼製の基台固定部４１が設けられている。基台固定部４１は、図４に示すように、矩形板形状を有し、支柱４に対して垂直な水平姿勢に配置される。各支柱４の下端部４Ｂの周面には、補強リブ４２が溶接により固定されている。基台固定部４１は、支柱４の最下端面及び補強リブ４２の下端面に溶接により固定されている。
【００２３】
基台３の外周部における各支柱４の基台固定部４１に対応する位置それぞれには、鋼製の支柱固定部３５が設けられている。支柱固定部３５は、図４に示すように、基台固定部４１よりも厚さ、幅及び長さがそれぞれ大きい矩形板形状を有する。支柱固定部３５は、基台３を構成するチャンネル鋼材３０の下端フランジ部３１Ｂ及びウェブ部３２に溶接により固定されている。支柱固定部３５の下面は、下端フランジ部３１Ｂの下面と同一面となるように形成される。支柱固定部３５は、アンカーボルト（図示せず）により設置面８（図２参照）に固定される。
なお、便宜上、図１、図３及び図４においては、基台固定部４１と支柱固定部３５とが離れた状態で図示している。
【００２４】
基台固定部４１における４つの角部には、ボルト孔４３が形成されている。支柱固定部３５におけるボルト孔４３に対応する４箇所には、長孔３６が形成されている。長孔３６は、円環状の基台３の内外方向（径方向）に向かって延びている。各ボルト孔４３及び各長孔３６に挿通されるボルト３７及びナット（図示せず）を介して、基台固定部４１と支柱固定部３５とは、図４の矢印Ｘで示す方向（内外方向）に、互いに水平方向に沿ってスライド可能に且つ固定可能に構成されている。
【００２５】
支持部材５は、濾過塔２の側面２Ａを支持する部材である。支持部材５は、４本の各支柱４の長手方向（上下方向）に、略３等分する上下に離れた２箇所（合計８箇所）にそれぞれ溶接により固定される。隣接する支柱４，４それぞれに固定される支持部材５，５同士は、平面視で非連続な環状に延びている。
【００２６】
各支持部材５は、図５に示すように、固定部５３と、外側湾曲部５１と、内側湾曲部５２と、を有する。固定部５３は、支柱４に嵌合して固定される半円状の部位である。外側湾曲部５１は、左右両側に延びる円弧状に湾曲した部位であり、支柱４との対向面を形成する。内側湾曲部５２は、左右両側に延びる円弧状に湾曲した部位であり、濾過塔２の側面２Ａとの対向面を形成する。
【００２７】
外側湾曲部５１は、剛性を有する剛性部材から形成され、各支持部材５における支柱４との対向面となる。剛性部材は、例えば、鋼製板材からなる。外側湾曲部５１と固定部５３とは一体的に構成されている。
内側湾曲部５２は、クッション性を有するクッション部材から形成され、各支持部材５における濾過塔２との対向面となる。クッション部材は、例えば、スポンジやゴム膜の弾性部材からなる。内側湾曲部５２は、外側湾曲部５１の内側に取り付けられている。
【００２８】
図１から図３に示すように、補強部材６は、濾過塔２における被処理水投入口部２Ｂの上端面２Ｃの近傍位置において、各支柱４の上端部４Ａに固定される。補強部材６は、平面視で連続的な四角環状に延びる。具体的には、補強部材６は、それぞれ隣接する支柱４，４の上端部４Ａ，４Ａ間に亘って連結して固定される４本の梁部材６０からなる。各梁部材６０は、中空の鋼製枠材から構成される。各梁部材６０は、その長手方向両端において、各支柱４の上端部４Ａに溶接により固定された固定片６１に、ボルト６２により固定される。これにより、各支柱４の間の距離を維持する機能が発揮される。
【００２９】
架台７を構成する基台３と補強部材６における１つの梁部材６０との間には、バルブスタンド１０が、上下方向に掛け渡されて固定されている。バルブスタンド１０は、濾過装置の流路の切り替えに用いるバルブユニット（図示せず）を架台７に固定するために設けられる。
【００３０】
次に、第１実施形態の容器固定装置１の組立方法について、簡単に説明する。
まず、濾過塔２の塔本体２１の底部に固定脚９０を固定する。そして、固定脚９０の固定部９２を、基台３を構成するチャンネル鋼材３０の上端フランジ部３１Ａの上に載置する。その後、固定脚９０の固定部９２をボルト９４によりチャンネル鋼材３０の上端フランジ部３１Ａに固定することによって、濾過塔２を基台３に支持させる。
【００３１】
次いで、基台３の円周方向の４箇所のそれぞれにおいて、濾過塔２の側面側に位置するように、４本の支柱４を垂直姿勢に立設して配置する。そして、各支柱４の下端の基台固定部４１を、基台３の外周部の支柱固定部３５にボルト３７及びナット（図示せず）を介して固定する。これによって、各支柱４の長手方向の中間部に予め固定されている８つの支持部材５が、濾過塔２の側面２Ａを支持する状態となる。
【００３２】
ここで、各支柱４の下端の基台固定部４１と基台３側の支柱固定部３５とを、ボルト３７とナット（図示せず）を介して、互いに水平方向に沿ってスライドさせて、各支柱４の位置を内外方向に微調整する。これにより、各支持部材５におけるクッション性を有する円弧状の内側湾曲部５２を、濾過塔２の側面２Ａに略均等な力で接触させることができる。
【００３３】
次に、隣接する支柱４，４の上端部４Ａ，４Ａ間に亘ってそれぞれ梁部材６０を連結して固定して、平面視で連続的な四角環状の補強部材６を取り付ける。これにより、図１及び図２に示すように、基台３と支柱４と支持部材５と補強部材６とからなる架台７に濾過塔２が固定されて、パッケージ化された容器固定装置１の組立が完了する。
【００３４】
パッケージ化された容器固定装置１は、アイボルト４０を用いて、クレーン等（図示せず）により吊り上げられて、トラック等の輸送車両に載せられる。容器固定装置１は、輸送車両の移動により、所定の設置場所に運搬される。そして、所定の設置場所の近くにおいて、容器固定装置１は、再びアイボルト４０を用いて、クレーン等により吊り上げられ且つ吊下げられて、設置場所に載置される。載置後、基台３における支柱固定部３５をアンカーボルト（図示せず）により設置面８に固定する。これにより、容器固定装置１は、所定の設置場所に据え付けられる。
なお、据え付けが完了した後、アイボルト４０を撤去してもよく、あるいは撤去しなくてもよい。
【００３５】
第１実施形態の容器固定装置１によれば、例えば、次の効果が奏される。
第１実施形態の容器固定装置１においては、濾過塔２の底部である固定脚９０を支持する基台３と、濾過塔２の側面２Ａ側に位置するように基台３に立設する４本の支柱４と、平面視で非連続な環状に延び、４本の支柱４それぞれに固定されると共に、濾過塔２の側面を支持する支持部材５と、を備える。
そのため、基台３に支持された濾過塔２の側面２Ａを、各支柱４それぞれに固定された支持部材５により４方向から締め付けて支持させて、安定的に保持することができる。
【００３６】
また、第１実施形態の容器固定装置１においては、濾過塔２の側面２Ａに支柱４を直接接触させたり、近接させたりする必要がなく、濾過塔２の側面２Ａと支柱４との間に隙間が形成されている。
そのため、耐衝撃性の低い合成樹脂製の濾過塔２を固定する場合であっても、輸送時や地震時等において濾過塔２の側面及び支柱４に単位面積あたりに大きな力を生じにくい。従って、濾過塔２が割れたり、濾過塔２の側面の局所が損傷したりすることを抑制できる。
【００３７】
また、第１実施形態の容器固定装置１においては、支持部材５における濾過塔２との対向面である円弧状の外側湾曲部５１は、剛性を有する剛性部材から形成されている。また、濾過塔２の側面２Ａとの対向面である円弧状の内側湾曲部５２は、クッション性を有するクッション部材から形成されている。
そのため、輸送時や地震時等において濾過塔２が水平方向に揺れ動いた場合に、その揺れの力を円弧状の内側湾曲部５２のクッション性によって吸収し、緩和することが可能である。従って、濾過塔２の割れや局所の損傷を抑制する効果を一層高めることができる。
【００３８】
また、第１実施形態の容器固定装置１においては、各支柱４の上端部４Ａは、濾過塔２の上面となる被処理水投入口部２Ｂの上端面２Ｃの近傍に位置する。また、各支柱４の被処理水投入口部２Ｂの上端面２Ｃの近傍位置において隣接する各支柱４間に亘ってそれぞれ梁部材６０を連結して固定し、これによって、平面視で連続的な四角環状に延びる補強部材６を形成している。
【００３９】
そのため、架台７（容器固定装置１）の全体を非常に頑丈な構造体とできると共に、各支柱４間の距離を維持する機能を確実に発揮させることが可能である。従って、パッケージ化された容器固定装置１の輸送時や地震発生時における耐震（耐振）強度を十分に確保でき、濾過塔２の割れや損傷を抑制する効果を一段と向上することができる。
【００４０】
更に、第１実施形態の容器固定装置１においては、各支柱４の下端部に基台固定部４１を有し、基台３は、支柱固定部３５を有し、基台固定部４１と支柱固定部３５とを、互いに水平方向に沿ってスライド可能に且つ固定可能に構成されている。
【００４１】
そのため、容器固定装置１の組立時等において、基台固定部４１と支柱固定部３５とを水平方向に沿ってスライドし且つ固定することにより、各支柱４の位置を内外方向に微調整して、各支持部材５におけるクッション性を有する円弧状の内側湾曲部５２を、濾過塔２の側面２Ａに略均等な力で接触させることができる。従って、耐衝撃性の低い合成樹脂製の濾過塔２を固定する場合であっても、輸送時や地震時などにおいて濾過塔２が割れたり、濾過塔２の側面２Ａの局所が損傷したりすることの抑制効果を一段と高めることができる。
【００４２】
次に、本発明の第２実施形態に係る容器固定装置１について説明する。
図６は、第２実施形態の容器固定装置１Ａを用いて濾過塔２を固定した状態を示す斜視図である。図７は、第２実施形態の容器固定装置１Ａを用いて濾過塔２を固定した状態を示す正面図である。図８は、第２実施形態の容器固定装置１Ａを示す斜視図である。図９は、第２実施形態の容器固定装置１Ａにおける支柱４の下端部４Ｂの構造を説明する拡大斜視図である。
【００４３】
第２実施形態については、第１実施形態と異なる点を中心に説明し、第１実施形態と同様な構成、同様な構成要素などについては同じ符号を付して、それらの詳細な説明は省略する。また、第２実施形態において、特に説明しない点は、第１実施形態における説明が適用される。
【００４４】
図６から図８に示すように、第２実施形態の容器固定装置１Ａは、基台３と、４本の支柱４と、支持部材５と、を備える。基台３と支柱４と支持部材５と補強部材６とにより、濾過装置の濾過塔２を固定する架台７が構成される。
【００４５】
基台３は、４枚の帯板材３３を略井桁状に組み付けて固定することにより、四角環状に形成される。各帯板材３３としては、鋼材が使用される。対向する一対の帯板材３３，３３の長手方向の中央部間には、補強用帯板材３３Ａが掛け渡されて固定されている。
【００４６】
支柱４は、四角環状の基台３の４つの角部（コーナー部）に配置される。各支柱４は、鋼製の角柱体により形成される。各支柱４の上端部４Ａは、濾過塔２の上面となる被処理水投入口部２Ｂの上端面２Ｃよりも下方に位置する。具体的には、各支柱４の上端部４Ａは、濾過塔２の上下方向長さの約半分の高さに位置する。各支柱４の上端部４Ａの頂面の中心部には、アイボルト４０が固定されている。
【００４７】
図９に示すように、基台３の４つの角部には、角筒部材８１が垂直姿勢に溶接されて固定されている。角筒部材８１は、支柱４の下端部４Ｂを挿入可能な被挿入部としての角形孔８０を有する。支柱４の下端部４Ｂを角筒部材８１の角形孔８０に挿入させた状態で、支柱４をボルト（図示せず）により角筒部材８１に固定することにより、各支柱４は、濾過塔２の側面２Ａ側に位置するように、上下に垂直姿勢に立設する。
このような支柱４の下端部４Ｂを角筒部材８１の角形孔８０に挿入させて、基台３に対して支柱４を立設される構成は、第２実施形態のように、支柱４の長さが比較的短く支柱４の剛性が比較的大きい場合に実現が容易である。
【００４８】
図６に示すように、支持部材５は、４本の支柱４の上端部４Ａの近傍において、濾過塔２の側面の全周を取り囲むような環状形に形成されている。詳細には、支持部材５は、円周の４分の１に分割された４枚の円弧状板材５４を、隣接する支柱４、４間に亘ってそれぞれ連結して固定することにより、平面視で連続的に環状に延びるように構成されている。
【００４９】
支持部材５を構成する４枚の円弧状板材５４は、隣接する支柱４、４間を連結して固定する梁部材の役目を果たし、各支柱４間の距離を維持する機能を発揮する。これにより、支持部材５は、平面視で連続的な環状に延びる形状をなし、第１実施形態における補強部材６と同様の機能を発揮する。
【００５０】
なお、第２実施形態においては、１組の隣接する支柱４、４間に亘って上下二段のバルブスタンド１０が掛け渡されて固定されている。バルブスタンド１０は、濾過装置の流路の切り替えに用いるバルブユニット（図示せず）を架台７に固定するために設けられる。
また、基台３の１つの帯板材３３と、その上方に位置する支持部材５とにより、制御ボックス１１が固定されて支持されている。制御ボックス１１は、主としてバルブユニットを制御する制御機器（図示せず）を内蔵している。
【００５１】
第２実施形態の容器固定装置１Ａによれば、例えば、次の効果が奏される。
第２実施形態の容器固定装置１Ａにおいては、支柱４の上端部４Ａは、基台３に支持された濾過塔２の上面となる被処理水投入口部２Ｂの上端面２Ｃよりも下方に位置し、支持部材５は、平面視で連続的に環状に延びている。
【００５２】
そのため、架台７の主要な構成部材である複数本（４本）の支柱４の長さを短くして、容器固定装置１の全体の軽量化及び材料の節減による低コスト化を図ると共に、濾過塔２の側面２Ａの全周を支持部材５により支持させることが可能である。そのため、濾過塔２を安定的に保持することができる。
【００５３】
また、第２実施形態の容器固定装置１Ａにおいては、支柱４の下端部４Ｂを、基台３に固定された角筒部材８１の角形孔８０の内部に挿入させた状態で、支柱４は、基台３に立設している。
そのため、基台３に対する支柱４の組立が容易になるのみならず、濾過塔２の揺れ等によって支柱４に加わる外力を角筒部材８１でしっかりと受け止めることが可能である。そのため、構造が簡素でありながら、支柱４が倒れることを抑制でき、容器固定装置１Ａの全体の耐久性の向上を図ることができる。
【００５４】
以上、好適な実施形態について説明したが、本発明は、前述した実施形態に限定されることなく、種々の形態で実施することができる。
例えば、支持部材５は、第２実施形態のように連続的な環状に延びていてもよく、あるいは、第１実施形態のように非連続であっても全体視で環状に延びていてもよい。「環状」とは、実施形態のように円環状に制限されず、四角環状、三角環状、六角環状などの多角環状でもよく、その他の形状による環状でもよい。
容器の側面は、曲面状でもよく、平面状でもよい。
【００５５】
基台３として、第１実施形態においては、チャンネル鋼材３０を巻回加工して円環状に形成したものについて説明し、第２実施形態においては、４枚の帯板材３３を略井桁状に組み付けて固定して四角環状に形成したものについて説明している。これら各実施形態の場合には、基台３の重量が軽くなり且つ使用材料も少なくて、コストの低減が図られる。しかし、基台として、全体視で平坦な板状の基台を用いてもよい。
【００５６】
支柱の本数は、４本以外でもよい。
固定対象の容器は、実施形態で説明した濾過装置の濾過塔２に限定されず、軟水器の樹脂筒やその他の水処理装置の処理槽などでもよい。
【符号の説明】
【００５７】
１  容器固定装置
２  濾過塔（容器）
２Ａ  濾過塔の側面（容器の側面）
３  基台
３５  支柱固定部
４  支柱
４Ａ  支柱の上端部
４Ｂ  支柱の下端部
４１  基台固定部
５  支持部材
５１  外側湾曲部（支柱との対向面）
５２  内側湾曲部（容器との対向面）
６  補強部材
８０  角形孔（被挿入部）
【図１】
2011168326.tif 000003
【図２】
2011168326.tif 000004
【図３】
2011168326.tif 000005
【図４】
2011168326.tif 000006
【図５】
2011168326.tif 000007
【図６】
2011168326.tif 000008
【図７】
2011168326.tif 000009
【図８】
2011168326.tif 000010
【図９】
2011168326.tif 000011